(57)【要約】【課題】コストを低減しつつ、所望の方向に反射できるリフレクタ及び自転車を含む小型車両を提供する。【解決手段】本発明のリフレクタ（１）は、入射光を反射させる反射素子（１０）と、入射光を反射素子（１０）に投射するとともに、反射素子（１０）から反射された反射光を投射する制御部材と、を備え、制御部材は、制御部材に入射する入射光の方向に対する制御部材から出射する反射光の方向を変更するように構成される。【選択図】図３
2019082600.tif 000002
【特許請求の範囲】
【請求項１】
入射光を反射させる反射素子と、
前記入射光を前記反射素子に投射するとともに、前記反射素子から反射された反射光を投射する制御部材と、
を備え、
前記制御部材は、前記制御部材に入射する入射光の方向に対する前記制御部材から出射する反射光の方向を変更するように構成される、リフレクタ。
【請求項２】
前記反射素子は、再帰性反射素子である、請求項１に記載のリフレクタ。
【請求項３】
前記制御部材は、
前記反射素子側に位置する第１主面と、
前記第１主面と反対側に位置する第２主面と、
を有するレンズを含み、
前記レンズにおいて、前記反射素子と重なる領域は、
第１の領域と、
前記第１の領域と連なる第２の領域と、
を有し、
前記反射素子の光軸に対する前記第１の領域の前記第１主面及び前記第２主面の角度の少なくとも一方と、前記反射素子の光軸に対する前記第２の領域の前記第１主面及び前記第２主面の角度の少なくとも一方とが異なる、請求項１または２に記載のリフレクタ。
【請求項４】
前記反射素子は、互いに略９０度をなす３つの反射平面と、前記３つの反射平面が交わる頂点と、を有するコーナーキューブであり、
前記第２の領域は前記頂点に対して前記第１の領域の点対称の位置に少なくとも一部が配置されている、請求項３に記載のリフレクタ。
【請求項５】
前記反射素子は、互いに略９０度をなす３つの反射平面と、前記３つの反射平面が交わる頂点と、を有するコーナーキューブであり、
前記第１主面及び前記第２主面は、平面であり、
前記第１の領域と前記第２の領域との境界と、前記頂点とは、重なる、請求項３または４に記載のリフレクタ。
【請求項６】
複数の前記コーナーキューブを備え、
前記第１の領域と前記第２の領域との境界は、複数の前記コーナーキューブの前記頂点を結ぶ線と重なる、請求項５に記載のリフレクタ。
【請求項７】
複数の前記コーナーキューブは、アレイ状に配列されている、請求項６に記載のリフレクタ。
【請求項８】
前記レンズにおいて、前記反射素子と重なる領域は、複数の前記第１の領域と複数の前記第２の領域とを有する、請求項３から請求項７のいずれか一項に記載のリフレクタ。
【請求項９】
前記第１の領域と前記第２の領域との面積が略等しい、請求項３から請求項８のいずれか一項に記載のリフレクタ。
【請求項１０】
第１方向の断面において前記レンズは前記第１主面の端縁である第１主面端縁及び前記第２主面の端縁である第２主面端縁を有し、
前記第１方向の断面における前記第１主面端縁及び前記第２主面端縁は、直線であり、
前記第１の領域の前記第１主面端縁及び前記第２主面端縁は平行であり、
前記第２の領域の前記第１主面端縁及び前記第２主面端縁の少なくとも一方が前記第１の領域の前記第１主面端縁及び前記第２主面端縁に対して前記第１方向の断面において角度を有している、請求項３から請求項９のいずれか一項に記載のリフレクタ。
【請求項１１】
前記レンズは、前記第１方向と直交する第２方向において前記第２の領域と連なり前記第１の領域の反対側に第３の領域を有し、
前記第２方向において前記第３の領域と連なり前記第２の領域の反対側に第４の領域を有し、
前記第４の領域の前記第１主面端縁及び前記第２主面端縁の少なくとも一方が前記第１の領域の前記第１主面端縁及び前記第２主面端縁に対して前記第１方向の断面において角度を有しており、
前記第２の領域の前記第１主面端縁及び前記第２主面端縁の少なくとも一方が前記第１の領域の前記第１主面端縁及び前記第２主面端縁に対して有している角度と、前記第４の領域の前記第１主面端縁及び前記第２主面端縁の少なくとも一方が前記第１の領域の前記第１主面端縁及び前記第２主面端縁に対して有している角度とが異なる、請求項１０に記載のリフレクタ。
【請求項１２】
前記レンズは、前記第１方向と直交する第２方向において前記第２の領域と連なり前記第１の領域の反対側に第３の領域を有し、
前記第２方向において前記第３の領域と連なり前記第２の領域の反対側に第４の領域を有し、
前記第２の領域の前記第１主面端縁及び前記第２主面端縁の少なくとも一方が前記第３の領域の前記第１主面端縁及び前記第２主面端縁に対して前記第１方向の断面において角度を有しており、
前記第４の領域の前記第１主面端縁及び前記第２主面端縁の少なくとも一方が前記第３の領域の前記第１主面端縁及び前記第２主面端縁に対して前記第１方向の断面において角度を有しており、
前記第２の領域の前記第１主面端縁及び前記第２主面端縁の少なくとも一方が前記第３の領域の前記第１主面端縁及び前記第２主面端縁に対して有している角度と、前記第４の領域の前記第１主面端縁及び前記第２主面端縁の少なくとも一方が前記第３の領域の前記第１主面端縁及び前記第２主面端縁に対して有している角度とが異なる、請求項１０または１１に記載のリフレクタ。
【請求項１３】
第１方向の断面において前記レンズは前記第１主面の端縁である第１主面端縁及び前記第２主面の端縁である第２主面端縁を有し、
第１方向の断面における前記第１主面端縁及び前記第２主面端縁は、直線であり、
前記第１方向と直交する方向である第２方向の断面において前記レンズは第３主面端縁及び第４主面端縁を有し、
前記第２方向の断面における前記第３主面端縁及び前記第４主面端縁の少なくとも一方は、曲線である、請求項３から請求項１２のいずれか一項に記載のリフレクタ。
【請求項１４】
前記反射素子とは異なる追加反射素子を有し、
前記レンズにおいて、前記追加反射素子と重なる領域は、
第５の領域を有し、
前記反射素子の光軸に対する前記第１の領域及び前記第２の領域の前記第１主面及び前記第２主面の角度の少なくとも一つと、前記追加反射素子の光軸に対する前記第５の領域の前記第１主面及び前記第２主面の角度の少なくとも一方とが異なる、請求項３から請求項１３のいずれか一項に記載のリフレクタ。
【請求項１５】
前記反射素子と前記制御部材とが一体的に形成される、請求項１から請求項１４のいずれか一項に記載のリフレクタ。
【請求項１６】
前記制御部材は、前記制御部材において前記反射素子と反対側に位置する外表面が平端面になるように前記レンズの前記第２主面に形成されたコーティング層をさらに含む、請求項３から１５のいずれか一項に記載のリフレクタ。
【請求項１７】
請求項１から１６のいずれか一項に記載のリフレクタを備える、自転車を含む小型車両。
【発明の詳細な説明】
【技術分野】
【０００１】
本発明は、リフレクタ及び自転車を含む小型車両に関する。
【背景技術】
【０００２】
光を反射させるリフレクタは、自動車、バイク、自転車等に用いられる。自転車に取り付けられたリフレクタとして、例えば、特開２００６−１４２９４６号公報（特許文献１）、及び特開２００４−１４９０３０号公報（特許文献２）が挙げられる。
【０００３】
特許文献１には、本体と、この本体の前面に沿って設けられた複数の再帰性反射素子構造を備えるリフレクタが開示されている。特許文献１のリフレクタに入射する光は、その方向に反射される。
【０００４】
また、特許文献２に開示のリフレクタは、反射光の方向を低角度反射領域と高角度反射領域との２つ方向に分けることが開示されている。
【先行技術文献】
【特許文献】
【０００５】
【特許文献１】特開２００６−１４２９４６号公報
【特許文献２】特開２００４−１４９０３０号公報
【発明の概要】
【発明が解決しようとする課題】
【０００６】
上記特許文献１のリフレクタは、入射光と反射光との方向が同じなので、反射光を拡散することができない。上記特許文献２のリフレクタは、反射光を２つの方向に分けるために、曲率の異なるそれぞれの面上に反射素子を配置する必要がある。それぞれに配置可能な形状の反射素子を準備するために、コストが増加してしまう。
【０００７】
本発明は、上記問題点に鑑み、コストを低減しつつ、所望の方向に反射できるリフレクタ及び自転車を提供することを課題とする。
【課題を解決するための手段】
【０００８】
本発明の第１の局面のリフレクタは、入射光を反射させる反射素子と、入射光を反射素子に投射するとともに、反射素子から反射された反射光を投射する制御部材と、を備え、制御部材は、制御部材に入射する入射光の方向に対する制御部材から出射する反射光の方向を変更するように構成される。
【０００９】
本発明の第１の局面におけるリフレクタによれば、制御部材に入射する入射光の方向に対する制御部材から出射する反射光の方向を変更するように構成される制御部材を備えている。このため、反射素子の形状、配置などに依存せずに、制御部材によって、反射光の方向を制御することができる。したがって、本発明は、反射光の方向を制御するための制御部材を備えることによって、コストを低減しつつ、所望の方向に反射できるリフレクタを提供できる。
【００１０】
なお、上記反射素子は、光源からの入射光を光源側に反射させる。上記制御部材は、光源と反射素子との間に配置されて、反射光を光源側に投射させる。
【００１１】
本発明の第２の局面のリフレクタにおいて、反射素子は、再帰性反射素子である。
【００１２】
再帰性反射素子に入射する入射光の方向と、再帰性反射素子から反射された反射光の方向とは、同じである。このため、制御部材で反射光の方向を制御することにより、所望の方向に反射できる。したがって、反射光の方向の制御が容易であるので、所望の方向に反射できるリフレクタを容易に実現できる。
【００１３】
本発明の第３の局面のリフレクタにおいて、制御部材は、反射素子側に位置する第１主面と、この第１主面と反対側に位置する第２主面と、を有するレンズを含み、レンズにおいて、反射素子と重なる領域は、第１の領域と、この第１の領域と連なる第２の領域と、を有し、反射素子の光軸に対する第１の領域の第１主面及び第２主面の角度の少なくとも一方と、反射素子の光軸に対する第２の領域の第１主面及び第２主面の角度の少なくとも一方とが異なる。
【００１４】
上記レンズにおいて、光軸に対して角度が異なる第１の領域及び第２の領域の主面を光が通過する際に、光の角度を変更することができる。このため、この構成を備えるリフレクタは、レンズによって、反射光の方向を容易に制御できる。したがって、所望の方向に反射できるリフレクタを容易に実現できる。
【００１５】
本発明の第４の局面のリフレクタにおいて、反射素子は、互いに略９０度をなす３つの反射平面と、３つの反射平面が交わる頂点と、を有するコーナーキューブであり、第２の領域は頂点に対して第１の領域の点対称の位置に少なくとも一部が配置されている。
【００１６】
入射光はコーナーキューブの頂点に対して点対称に反射される。このため、第１または第２の領域に光が入射し、第２または第１の領域から反射光が出射する場合に、入射光を効率的に反射することができる。
【００１７】
本発明の第５の局面のリフレクタにおいて、反射素子は、互いに略９０度をなす３つの反射平面と、３つの反射平面が交わる頂点と、を有するコーナーキューブであり、第１主面及び第２主面は、平面であり、第１の領域と第２の領域との境界と、頂点とは、重なる。
【００１８】
これにより、コーナーキューブの頂点を境界として、第１の領域の第１主面及び第２主面の少なくとも一方と、第２の領域の第１の主面及び第２の主面の少なくとも一方との傾斜角度が異なるレンズを用いることができる。このようなレンズは、容易に形成できるので、コストをより低減できる。
【００１９】
本発明の第６の局面のリフレクタは、複数のコーナーキューブを備え、第１の領域と第２の領域との境界は、複数のコーナーキューブの頂点を結ぶ線と重なる。
【００２０】
複数のコーナーキューブにより、反射光を複数の方向に拡散することができる。この場合であっても、第５の局面と同様に、レンズを容易に形成できる。このため、コストをより低減しつつ、所望の方向に効率的に反射できるリフレクタを実現できる。
【００２１】
本発明の第７の局面のリフレクタにおいて、複数のコーナーキューブは、アレイ状に配列されている。
【００２２】
これにより、複数のコーナーキューブの頂点は、一直線上に位置する。このため、第１の領域と第２の領域との境界が一直線になるので、レンズを容易に形成できる。したがって、コストをより低減できる。
【００２３】
本発明の第８の局面のリフレクタは、レンズにおいて、反射素子と重なる領域は、複数の第１の領域と複数の第２の領域とを有する。
【００２４】
これにより、レンズに入射する入射光の方向に対して、レンズから出射する反射光の方向を変更しやすい。反射光の方向の制御が容易であるので、所望の方向に反射できるリフレクタを容易に実現できる。
【００２５】
本発明の第９の局面のリフレクタは、第１の領域と第２の領域との面積が略等しい。
【００２６】
これにより、第１または第２の領域に光が入射し、第２または第１の領域から反射光が出射する場合に、入射光を効率的に反射することができる。
【００２７】
本発明の第１０の局面のリフレクタは、第１方向の断面においてレンズは第１主面の端縁である第１主面端縁及び第２主面の端縁である第２主面端縁を有し、第１方向の断面における第１主面端縁及び第２主面端縁は、直線であり、第１の領域の第１主面端縁及び第２主面端縁は平行であり、第２の領域の第１主面端縁及び第２主面端縁の少なくとも一方が第１の領域の第１主面端縁及び第２主面端縁に対して第１方向の断面において角度を有している。
【００２８】
これにより、第１の領域及び第２の領域の少なくとも一方で、光の角度を変更できる。このため、反射光の方向を容易に制御できるので、所望の方向に反射できるリフレクタを容易に実現できる。
【００２９】
本発明の第１１の局面のリフレクタにおいて、レンズは、第１方向と直交する第２方向において第２の領域と連なり第１の領域の反対側に第３の領域を有し、第２方向において第３の領域と連なり第２の領域の反対側に第４の領域を有し、第４の領域の第１主面端縁及び第２主面端縁の少なくとも一方が第１の領域の第１主面端縁及び第２主面端縁に対して第１方向の断面において角度を有しており、第２の領域の第１主面端縁及び第２主面端縁の少なくとも一方が第１の領域の第１主面端縁及び第２主面端縁に対して有している角度と、第４の領域の第１主面端縁及び第２主面端縁の少なくとも一方が第１の領域の第１主面端縁及び第２主面端縁に対して有している角度とが異なる。
【００３０】
これにより、第２の領域及び第４の領域で、光の方向を異なる角度に変更できる。このため、反射光の方向を容易に制御できるので、所望の方向に反射できるリフレクタを容易に実現できる。
【００３１】
本発明の第１２の局面のリフレクタにおいて、レンズは、第１方向と直交する第２方向において第２の領域と連なり第１の領域の反対側に第３の領域を有し、第２方向において第３の領域と連なり第２の領域の反対側に第４の領域を有し、第２の領域の第１主面端縁及び第２主面端縁の少なくとも一方が第３の領域の第１主面端縁及び第２主面端縁に対して第１方向の断面において角度を有しており、第４の領域の第１主面端縁及び第２主面端縁の少なくとも一方が第３の領域の第１主面端縁及び第２主面端縁に対して第１方向の断面において角度を有しており、第２の領域の第１主面端縁及び第２主面端縁の少なくとも一方が第３の領域の第１主面端縁及び第２主面端縁に対して有している角度と、第４の領域の第１主面端縁及び第２主面端縁の少なくとも一方が第３の領域の第１主面端縁及び第２主面端縁に対して有している角度とが異なる。
【００３２】
これにより、第２の領域及び第４の領域のそれぞれで、光の方向を異なる角度に変更できる。このため、入射光の方向を容易に制御できるので、所望の方向に反射できるリフレクタを容易に実現できる。
【００３３】
本発明の第１３の局面のリフレクタにおいて、第１方向の断面においてレンズは第１主面の端縁である第１主面端縁及び第２主面の端縁である第２主面端縁を有し、第１方向の断面における第１主面端縁及び第２主面端縁は、直線であり、第１方向と直交する方向である第２方向の断面においてレンズは第３主面端縁及び第４主面端縁を有し、第２方向の断面における第３主面端縁及び第４主面端縁の少なくとも一方は、曲線である。
【００３４】
第１方向及び第２方向で、入射光の方向を制御できるので、広い範囲で所望の方向に光を反射できる。
【００３５】
本発明の第１４の局面のリフレクタは、反射素子とは異なる追加反射素子をさらに備え、レンズにおいて、追加反射素子と重なる領域は、第５の領域を有し、反射素子の光軸に対する第１の領域及び第２の領域の第１主面及び第２主面の角度の少なくとも一つと、追加反射素子の光軸に対する第５の領域の第１主面及び第２主面の角度の少なくとも一方とが異なる。
【００３６】
反射素子と異なる追加反射素子をさらに備える場合であっても、上記レンズにおいて、第１の領域、第２の領域、第５の領域の主面を光が通過する際に、光の角度を変更することができる。このため、この構成を備えるリフレクタは、複数種の反射素子を備えても、所望の方向に反射できる。
【００３７】
本発明の第１５の局面のリフレクタは、反射素子と制御部材とが一体的に形成される。これにより、コストをより低減できる。
【００３８】
本発明の第１６の局面のリフレクタにおいて、制御部材は、制御部材において反射素子と反対側に位置する外表面が平端面になるようにレンズの第２主面に形成されたコーティング層をさらに含む。
【００３９】
これにより、制御部材の外表面が平坦面であるので、粉塵等の付着を抑制できる。
【００４０】
本発明の第１７の局面の自転車を含む小型車両は、上記第１〜第１６の局面のいずれか１つにおけるリフレクタを備える。
【００４１】
上記のリフレクタを備えるので、本発明の自転車を含む小型車両は、コストを低減しつつ、リフレクタによって、入射光を所望の方向に反射できる。
【発明の効果】
【００４２】
以上説明したように、本発明は、コストを低減しつつ、所望の方向に反射できるリフレクタ及び自転車を含む小型車両を提供することができる。
【図面の簡単な説明】
【００４３】
【図１】実施の形態のリフレクタを備える自転車を示す側面図である。
【図２】実施の形態のリフレクタを示す側面図である。
【図３】実施の形態のリフレクタを示す正面図である。
【図４】実施の形態の反射素子を示す正面図である。
【図５】反射素子の拡大正面図である。
【図６】実施の形態のレンズを示す正面図である。
【図７】実施の形態のレンズを示す左側面図であり、図６における矢印ＶＩＩから見た図である。
【図８】実施の形態のレンズを示す右側面図であり、図６における矢印ＶＩＩＩから見た図である。
【図９】実施の形態のレンズを示す上面図であり、図６における矢印ＩＸから見た図である。
【図１０】実施の形態のレンズを示す下面図であり、図６における矢印Ｘから見た図である。
【図１１】実施の形態のリフレクタの配光制御を説明するための模式図であり、図３の一部を抽出したものである。
【図１２】変形例４のリフレクタを示す正面図である。
【発明を実施するための形態】
【００４４】
以下、図面に基づいて本発明の実施の形態を説明する。なお、以下の図面において同一または相当する部分には同一の参照符号を付しその説明は繰り返さない。
【００４５】
図１〜図１２を参照して、本発明の一実施の形態であるリフレクタについて説明する。実施の形態のリフレクタは、図１に示す自転車に取り付けられる。
【００４６】
（自転車の全体構成）
まず、図１を参照して、本実施の形態のリフレクタ１を備える自転車２の構造について説明する。図１に示すように、実施の形態の自転車２は、フレーム３と、ハンドル４と、駆動部５と、前輪６と、後輪７と、前後のブレーキ装置（図示せず）と、前方反射器材８と、後方反射器材９と、を主に備えている。
【００４７】
フレーム３は、前三角を有するフレーム体３ａと、フレーム体３ａの前部に斜め縦軸周りに回転自在に支持されたフロントフォーク３ｂと、を有している。このフロントフォーク３ｂに、ハンドル４が固定されている。駆動部５は、フレーム体３ａの下部に取り付けられ、踏み力を駆動力に変換する。前輪６は、フロントフォーク３ｂの先端部に装着されている。後輪７は、フレーム体３ａの後端部に装着されている。
【００４８】
前輪６は、ハブ６ａと、複数のスポーク６ｂと、リム６ｃと、タイヤ６ｄと、を有している。ハブ６ａは、フロントフォーク３ｂに支持される。スポーク６ｂは、直線状のワイヤ部材であり、ハブ６ａから外周方向に延出する。リム６ｃは、管状の部材であり、スポーク６ｂの端部と連結されている。タイヤ６ｄは、リム６ｃの外周に取り付けられている。
【００４９】
なお、後輪７は、前輪６と同様の構成であるので、説明を繰り返さない。
【００５０】
前方反射器材８は、フロントフォーク３ｂの中央前方に設けられている。後方反射器材９は、サドルを取り付けるシートピラーに設けられている。前方反射器材８及び後方反射器材９に、リフレクタ１が取り付けられている。
【００５１】
（リフレクタ）
図２〜図１２を参照して、本発明の一実施の形態であるリフレクタについて説明する。なお、図２〜図１２において、リフレクタの正面視において、横方向を第１方向ｘ、縦方向を第２方向ｙ、高さ方向を厚さ方向ｚとする。第１方向ｘ、第２方向ｙ及び厚さ方向ｚは、互いに直交する。また、図３、図１１及び図１２において、紙面手前に制御部材２０が位置し、紙面奥に反射素子１０が位置するが、便宜上、両方を示している。
【００５２】
図２及び図３に示すように、本実施の形態のリフレクタ１は、反射素子１０を複数含む反射素子体１１と、制御部材２０と、を備えている。反射素子１０と制御部材２０とは、厚さ方向ｚにおいて重なる。
【００５３】
図３及び図４に示す反射素子１０は、入射光を反射させる。詳細には、反射素子１０は、図２において右側（厚さ方向ｚ側）に位置する光源（図示せず）からの入射光を、光源側に反射させる。
【００５４】
反射素子１０は、光を反射する素子であれば特に限定されず、再帰性反射をする素子でもよく、正反射をする素子でもよい。本実施の形態の反射素子１０は、再帰性反射素子であり、具体的には、図５に示すように、互いに略９０度をなす３つの反射平面Ｓ１、Ｓ２、Ｓ３と、３つの反射平面Ｓ１、Ｓ２、Ｓ３が交わる頂点１２と、を有するコーナーキューブである。反射平面Ｓ１、Ｓ２、Ｓ３は、略正方形の面である。
【００５５】
複数の反射素子１０のそれぞれは、図４に示すように、略同じ形状を有しており、アレイ状に配列されている。このため、光源側から見たときに、各列の反射素子１０の頂点１２は、それぞれ一直線上に位置している。
【００５６】
制御部材２０は、入射光を反射素子１０に投射するとともに、反射素子１０から反射された反射光を投射する。詳細には、制御部材２０は、光源と反射素子１０との間に配置される。制御部材２０は、光源から入射された光を光源と反対側に位置する反射素子１０に投射するとともに、反射素子１０から反射された反射光を光源側に投射する。制御部材２０は、制御部材２０に入射する入射光の方向に対する制御部材２０から出射する反射光の方向を変更するように構成される。制御部材２０は、反射光の方向を制御するための部材である。
【００５７】
制御部材２０は、図６〜図１０に示すレンズ３０を含んでいる。また、制御部材２０は、図１に示すように、制御部材２０において反射素子１０と反対側に位置する外表面２１が平端面になるようにレンズ３０の第２主面３０ｂに形成されたコーティング層をさらに含む。コーティング層は、光の方向を変更しない材料で形成されていることが好ましい。
【００５８】
図７及び図８に示すように、レンズ３０は、反射素子１０側に位置する第１主面３０ａと、この第１主面３０ａと反対側に位置する第２主面３０ｂとを有している。第１主面３０ａは、反射素子１０と対向する。第２主面３０ｂは、光源側に位置する。また、レンズ３０は、第１主面３０ａの外周部から反射素子１０側に向けて突出する枠部３０ｃをさらに有している。
【００５９】
レンズ３０は、入射光が第２主面３０ｂから第１主面３０ａを通過する際、及び／または、反射光が第１主面３０ａから第２主面３０ｂを通過する際に、光の方向を変更する。
【００６０】
図３に示すように、レンズ３０において、反射素子１０と重なる領域は、第１の領域３１と、この第１の領域３１と連なる第２の領域３２と、を有している。本実施の形態では、反射素子体１１及びレンズ３０は、外郭が略同じ大きさの板状である。このため、レンズ３０において、複数の反射素子１０の略全体が重なるので、レンズ３０は、第１方向ｘと直交する第２方向ｙの上から下に向けて、第１〜第１４の領域３１〜４４を有している。なお、各領域の数は、任意に設定される。また、以下、説明の便宜上、特定の領域を指しているが、その領域は特に限定されない。
【００６１】
具体的には、第１〜第１４の領域３１〜４４は、第１方向ｘに延びる。第１の領域３１は、第２方向ｙの上端に位置する。第２の領域３２は、第２方向ｙにおいて、第１の領域３１の下端と連なる。第３の領域３３は、第２方向ｙにおいて第２の領域３２と連なり、第１の領域３１の反対側に位置する。第４の領域３４は、第２方向ｙにおいて第３の領域３３と連なり、第２の領域３２の反対側に位置する。つまり、第ｎの領域は、第２方向ｙにおいて第（ｎ−１）の領域と連なり、第（ｎ−１）の領域と反対側に位置する。
【００６２】
第１〜第１４の領域３１〜４４における隣接する領域との境界Ｂは、厚さ方向ｚの上側から見たときに、第１方向ｘに延びる直線である。第１〜第１４の領域３１〜４４の面積は略等しい。具体的には、厚さ方向ｚの上側から見たときに、第１の領域３１と第２の領域３２との面積は、略等しい。なお、両端に位置する領域の面積は、隣接する領域の面積と異なっていてもよい。
【００６３】
図７及び図８に示すように、第１主面３０ａ及び第２主面３０ｂは、平面である。具体的には、第１〜第１４の領域３１〜４４のそれぞれの第１主面３１ａ〜４４ａ及び第２主面３１ｂ〜４４ｂは、平面である。本実施の形態では、第１〜第１４の領域３１〜４４における第１主面３０ａ及び第２主面３０ｂの少なくとも一方は、隣接する領域の第１主面３０ａ及び第２主面３０ｂの少なくとも一方と、異なる傾きを有する平面である。具体的には、第１方向ｘ及び第２方向ｙを含む水平面に対して、傾斜する第１主面３０ａ及び第２主面３０ｂを有する領域と、傾斜していない（水平面の）第１主面３０ａ及び第２主面３０ｂとを有する領域とが交互に配置されている。第２方向上から下に向かうにつれて、傾斜する第１主面３０ａ及び第２主面３０ｂを有する領域の水平面に対する傾斜角度（傾き）は大きくなる。第１〜第１４の領域３１〜４４の水平面に対する傾斜角度を例示すると、０．００１°、０°、０．００３°、０°、０．００５°、０°、０．００８°、０°、０．０１１°、０°、０．０１３°、０°、０．０１６°及び０°である。
【００６４】
また、第１〜第１４の領域の厚みは、略同じである。厚みを例示すると、第１〜第１２の領域３１〜４２の厚みは、１．０９７ｍｍであり、第１３及び第１４の領域４３、４４の厚みは、１．０９８ｍｍである。
【００６５】
図１１を参照して、第１方向ｘの断面（第２方向ｙに沿って切断し、第１方向ｘから見た断面）において、レンズ３０は第１主面３０ａの端縁である第１主面端縁３０Ａ、及び第２主面３０ｂの端縁である第２主面端縁３０Ｂを有している。第１方向ｘの断面における第１主面端縁３０Ａ及び第２主面端縁３０Ｂは、直線である。
【００６６】
第１の領域３１の第１主面端縁３１Ａ及び第２主面端縁３１Ｂは平行である。第２の領域３２の第１主面端縁３２Ａ及び第２主面端縁３２Ｂは、平行でない。このため、第２の領域３２の第１主面端縁３２Ａ及び第２主面端縁３２Ｂの少なくとも一方が、第１の領域３１の第１主面端縁３１Ａ及び第２主面端縁３１Ｂに対して第１方向ｘの断面において角度を有している。図１１では、第２の領域３２の第１主面端縁３２Ａは、第１の領域３１の第１主面端縁３１Ａ及び第２主面端縁３１Ｂと平行であり、第２の領域３２の第２主面端縁３２Ｂは、第１の領域３１の第１主面端縁３１Ａ及び第２主面端縁３１Ｂと平行でない。このため、第２の領域３２の第２主面端縁３２Ｂが、第１の領域３１の第１主面端縁３１Ａ及び第２主面端縁３１Ｂに対して第１方向ｘの断面において角度を有している。
【００６７】
第３の領域３３の第１主面端縁３３Ａ及び第２主面端縁３３Ｂは、平行である。第４の領域３４の第１主面端縁３４Ａ及び第２主面端縁３４Ｂは、平行でない。このため、第４の領域３４の第１主面端縁３４Ａ及び第２主面端縁３４Ｂの少なくとも一方が、第３の領域３３の第１主面端縁３３Ａ及び第２主面端縁３３Ｂに対して、第１方向ｘの断面において角度を有している。図１１では、第４の領域３４の第２主面端縁３４Ｂが、第３の領域３３の第１主面端縁３３Ａ及び第２主面端縁３３Ｂに対して、第１方向ｘの断面において角度を有している。
【００６８】
また、第４の領域３４の第１主面端縁３４Ａ及び第２主面端縁３４Ｂの少なくとも一方が、第１の領域３１の第１主面端縁３１Ａ及び第２主面端縁に対して第１方向ｘの断面において角度を有している。図１１では、第４の領域３４の第２主面端縁３４Ｂが、第１の領域３１の第１主面端縁３１Ａ及び第２主面端縁に対して第１方向ｘの断面において角度を有している。
【００６９】
また、第２の領域３２の第１主面端縁３２Ａ及び第２主面端縁３２Ｂの少なくとも一方が、第３の領域３３の第１主面端縁３３Ａ及び第２主面端縁３３Ｂに対して、第１方向ｘの断面において角度を有している。図１１では、第２の領域３２の第２主面端縁３２Ｂが、第３の領域３３の第１主面端縁３３Ａ及び第２主面端縁３３Ｂに対して、第１方向ｘの断面において角度を有している。
【００７０】
第２の領域３２の第１主面端縁３２Ａ及び第２主面端縁３２Ｂの少なくとも一方が、第１の領域３１の第１主面端縁３１Ａ及び第２主面端縁３１Ｂに対して有している角度と、第４の領域３４の第１主面端縁３４Ａ及び第２主面端縁３４Ｂの少なくとも一方が、第１の領域３１の第１主面端縁３１Ａ及び第２主面端縁３１Ｂに対して有している角度とは、異なる。図１１では、第２の領域３２の第２主面端縁３２Ｂが第１の領域３１の第１主面端縁３１Ａ及び第２主面端縁３１Ｂに対して有している角度と、第４の領域３４の第２主面端縁３４Ｂが第１の領域３１の第１主面端縁３１Ａ及び第２主面端縁３１Ｂに対して有している角度とは、異なる。
【００７１】
また、第２の領域３２の第１主面端縁３２Ａ及び第２主面端縁３２Ｂの少なくとも一方が、第３の領域３３の第１主面端縁３３Ａ及び第２主面端縁３３Ｂに対して有している角度と、第４の領域３４の第１主面端縁３４Ａ及び第２主面端縁３４Ｂの少なくとも一方が、第３の領域３３の第１主面端縁３３Ａ及び第２主面端縁３３Ｂに対して有している角度とは、異なる。図１１では、第２の領域３２の第２主面端縁３２Ｂが、第３の領域３３の第１主面端縁３３Ａ及び第２主面端縁３３Ｂに対して有している角度と、第４の領域３４の第２主面端縁３４Ｂが、第３の領域３３の第１主面端縁３３Ａ及び第２主面端縁３３Ｂに対して有している角度とは、異なる。
【００７２】
第１方向ｘと直交する方向である第２方向ｙの断面（第１方向ｘに沿って切断し、第２方向ｙから見た断面）において、レンズ３０は第３主面端縁３０Ｃ及び第４主面端縁３０Ｄを有している。第３主面端縁３０Ｃは、第２方向ｙの断面において、第１主面３０ａの端縁である。第４主面端縁３０Ｄは、第２方向ｙの断面において、第２主面３０ｂの端縁である。第２方向ｙの断面における第３主面端縁３０Ｃ及び第４主面端縁３０Ｄの少なくとも一方は、曲線である。図１１では、第２方向ｙの断面における第３主面端縁３０Ｃは直線であり、第４主面端縁３０Ｄは曲線である。
【００７３】
ここで、反射素子１０と制御部材２０との関係について説明する。図２及び図３に示すように、厚さ方向ｚにおいて、反射素子１０上に、レンズ３０が配置されている。
【００７４】
反射素子１０の光軸（頂点１２からｚ方向に延びる軸）に対する第１の領域３１の第１主面３１ａ及び第２主面３１ｂの角度の少なくとも一方と、反射素子１０の光軸に対する第２の領域３２の第１主面３２ａ及び第２主面３２ｂの角度の少なくとも一方とは、異なる。本実施の形態では、複数の反射素子１０のそれぞれの光軸に対する隣接する２つの領域の第１主面３０ａ及び第２主面３０ｂの角度の少なくとも一方が異なる。このため、複数の反射素子１０から反射される反射光の方向を広い範囲でレンズ３０により制御できる。
【００７５】
図３に示すように、隣接する領域の境界Ｂと、反射素子１０の頂点１２とは、重なる。例えば、第１の領域３１と第２の領域３２との境界Ｂと、反射素子１０の頂点１２とは、重なる。詳細には、隣接する領域の境界Ｂと、複数のコーナーキューブである反射素子１０の頂点１２を結ぶ線とは、重なる。例えば、第１の領域３１と第２の領域３２との境界Ｂは、複数のコーナーキューブである反射素子１０の頂点１２を結ぶ線と重なる。
【００７６】
隣接する領域の少なくとも一部は、頂点１２に対して、点対称の位置に配置されている。例えば、第２の領域３２は、頂点１２に対して第１の領域３１の点対称の位置に少なくとも一部が配置されている。
【００７７】
反射素子１０と制御部材２０とは、一体的に形成される。この場合、例えば、反射素子１０及び制御部材２０となる材料を金型に投入し、成型する。なお、異なる金型で反射素子１０と制御部材２０とを形成した後に、連結してもよい。
【００７８】
続いて、本実施の形態のリフレクタ１による配光制御について説明する。
【００７９】
光源からの光は、制御部材２０に入射する。入射光は、レンズ３０の第２主面３０ｂから第１主面３０ａを通過する。通過した入射光は、反射素子１０に到達し、反射素子１０で反射される。反射光は、レンズ３０の第１主面３０ａから第２主面３０ｂを通過し、制御部材２０から光源側に投射される。
【００８０】
制御部材２０のレンズ３０を光が通過する際に、反射素子１０の光軸Ｌに対する各領域の第１主面３０ａ及び第２主面３０ｂが、直交していると光の方向は変更されず、傾斜していると光の方向は変更される。
【００８１】
ここで、リフレクタ１による第２方向ｙの配光の制御について、主に図１１の右上の第１方向ｘの断面模式図を用いて説明する。
【００８２】
第１の領域３１に入射した光は、方向が維持されて反射素子１０に投射される。そして、反射素子１０で再帰性反射され、方向が維持された反射光は、第２の領域３２の第２主面３２ｂで方向が変更される。したがって、制御部材２０に入射する入射光の方向に対する制御部材２０から出射する反射光の方向は、変更される。
【００８３】
第２の領域３２に入射した光は、第２主面３２ｂで方向が変更されて反射素子１０に投射される。反射素子１０で再帰性反射され、方向が維持された反射光は、第３の領域３３で方向が維持される。したがって、制御部材２０に入射する入射光の方向に対する制御部材２０から出射する反射光の方向は、変更される。
【００８４】
第３の領域３３に入射した光は、方向が維持される。反射素子１０で再帰性反射され、方向が維持された反射光は、第４の領域３４の第２主面３４ｂで方向が変更される。したがって、制御部材２０に入射する入射光の方向に対する制御部材２０から出射する反射光の方向は、変更される。
【００８５】
本実施の形態では、第２の領域３２の第１主面端縁３２Ａ及び第２主面端縁３２Ｂの少なくとも一方が、第１の領域３１の第１主面端縁３１Ａ及び第２主面端縁３１Ｂに対して有している角度と、第４の領域３４の第１主面端縁３４Ａ及び第２主面端縁３４Ｂの少なくとも一方が、第１の領域３１の第１主面端縁３１Ａ及び第２主面端縁３１Ｂに対して有している角度とが異なる。このため、第２の領域３２を通る反射光の方向と、第４の領域３４を通る反射光との方向とが異なるように制御できる。
【００８６】
このように、反射素子１０と重ねて配置される制御部材２０によって、入射光を第２方向ｙの所望の方向に反射できる。
【００８７】
次に、リフレクタ１による第１方向ｘの配光の制御について、主に図１１の左下の断面模式図を用いて説明する。
【００８８】
第２方向ｙの断面における第４主面端縁３０Ｄは、曲線である。制御部材２０のレンズ３０を光が通過する際に、曲線となる部分は、反射素子１０の光軸Ｌに対して傾斜しているので、光の方向は変更される。このため、第１方向ｘにおいて頂点１２を境界として区切られる各領域５１〜５４において、制御部材２０から出射する反射光の方向は、異なる。したがって、反射素子１０と重ねて配置される制御部材２０によって、入射光を第１方向ｘの所望の方向に反射できる。
【００８９】
以上より、本実施の形態のリフレクタ１は、制御部材２０に入射する入射光の方向に対する制御部材２０から出射する反射光の方向を変更するように構成される制御部材２０を備えている。反射素子１０と重なるように配置されたレンズ３０を含む制御部材２０により、入射光の方向と反射光の方向とを変えることによって、配光を制御できる。つまり、光源からの入射光を、リフレクタ１によって任意の配光が得られるように、反射光の方向を制御できる。したがって、反射素子１０で配光を制御する必要がないので、反射素子１０の形状、配置などの調整を省略できるため、反射素子１０を安価に準備できる。したがって、本実施の形態のリフレクタ１は、コストを低減しつつ、所望の方向に反射できる。
【００９０】
また、本実施の形態のリフレクタ１は、所望の方向に反射光を拡散することが可能な制御部材２０を備えている。このため、反射光を不要な方向へ投射することを防止できる。したがって、リフレクタ１によって、反射光の損失を低減できるので、反射効率を向上することもできる。
【００９１】
このように、本実施の形態のリフレクタ１は、入射光を所望の方向に反射できるので、広範囲に反射光を拡散することもできる。このため、リフレクタ１は、自転車２を含む小型車両に好適に用いられる。
【００９２】
なお、図１では、リフレクタ１が自転車２の前方反射器材８及び後方反射器材９に取り付けられる構造を例に挙げて説明したが、リフレクタ１が取り付けられる位置は、限定されない。例えば、リフレクタ１は、前方反射器材８及び後方反射器材９の少なくとも一方、自転車２のライトの外周、泥よけ部等、任意の位置に取り付け可能である。
【００９３】
また、本発明のリフレクタは、自転車以外にも取り付けられ、例えば、自動車、バイク等の車両、道路、センサなどにも適用可能である。
【００９４】
（変形例１）
上述した実施の形態のリフレクタ１、制御部材２０に入射する入射光の方向に対する制御部材２０から出射する反射光の方向を変更するために、反射素子１０の光軸に対する第１の領域３１の第１主面３１ａ及び第２主面３１ｂの角度の少なくとも一方と、反射素子１０の光軸に対する第２の領域３２の第１主面３２ａ及び第２主面３２ｂの角度の少なくとも一方とが異なるレンズ３０を用いる構造を例に挙げて説明した。本発明のリフレクタは、制御部材２０に入射する入射光の方向に対する制御部材２０から出射する反射光の方向を変更するように構成されていれば、この構造に限定されない。例えば、屈折率の異なる複数種類の材料で制御部材を形成することによって、制御部材に入射する入射光の方向に対する制御部材から出射する反射光の方向を変更してもよい。
【００９５】
（変形例２）
上述した実施の形態のリフレクタ１のレンズ３０においては、第１の領域３１と第２の領域３２との境界Ｂは、第１方向ｘに沿って延びる１つの直線である。本発明の第１の領域と第２の領域との境界は、異なる方向に延びる直線が複数組み合わされてもよく、曲線が含まれてもよい。また、本発明の第１の領域と第２の領域との境界は、第２方向ｙに延びる直線であってもよい。
【００９６】
（変形例３）
変形例３のリフレクタは、上述した実施の形態において、制御部材２０のレンズ３０の形状が異なる。具体的には、変形例３のレンズ３０は、第１主面及び第２主面の少なくとも一方が曲面である。第１主面及び第２主面が曲面の場合、反射素子の光軸に対する第１主面及び第２主面の角度は、曲面の接線と光軸とのなす角度である。
【００９７】
（変形例４）
図１２に示す変形例４のリフレクタは、上述した実施の形態において、制御部材２０のレンズ３０の形状が異なる。具体的には、変形例４のレンズ３０において、反射素子１０と重なる領域は、複数の第１の領域３１と複数の第２の領域３２とを有している。第１方向ｘまたは第２方向ｙにおいて、第１の領域３１と第２の領域３２とは、交互に配置される。
【００９８】
図１２では、第２方向ｙの上側から下側に向けて、第１の領域３１と第２の領域３２とが交互に配置されている。中央の第２の領域３２と第１の領域３１との境界Ｂは、反射素子１０の頂点１２上に位置する。頂点１２を点対称として位置する第１の領域３１と第２の領域３２との面積は、それぞれ略同じである。
【００９９】
（変形例５）
上述した実施の形態のリフレクタ１の反射素子体１１は、反射素子１０としてのコーナーキューブが複数配置された構造を例に挙げて説明した。変形例５のリフレクタは、反射素子１０とは異なる追加反射素子をさらに有している。追加反射素子は、例えば、球形のガラスビーズ等を用いることができる。
【０１００】
例えば、図３及び図４において第２方向ｙの上から５列目に、追加反射素子が配置されたとする。この場合、レンズ３０において追加反射素子と重なる領域は、第５の領域３５を有する。この場合、反射素子１０の光軸に対する第１の領域３１及び第２の領域３２の第１主面３０ａ及び第２主面３０ｂの角度の少なくとも一つと、追加反射素子の光軸に対する第５の領域３５の第１主面３５ａ及び第２主面３５ｂの角度の少なくとも一方とが異なる。
【０１０１】
なお、光源側から見たときに、各列の反射素子１０の頂点及び追加反射素子の頂点に相当する部分が、一直線上に位置してもよく、一直線上に位置していなくてもよい。後者の場合、隣接する領域の境界が各頂点と重なる。
【０１０２】
今回開示された実施の形態及びその変形例はすべての点で例示であって制限的なものではないと考えられるべきである。本発明の範囲は上記した実施の形態ではなくて特許請求の範囲によって示され、特許請求の範囲と均等の意味及び範囲内でのすべての変更が含まれることが意図される。
【符号の説明】
【０１０３】
１  リフレクタ、２  自転車、３  フレーム、３ａ  フレーム体、３ｂ  フロントフォーク、４  ハンドル、５  駆動部、６  前輪、６ａ  ハブ、６ｂ  スポーク、６ｃ  リム、６ｄ  タイヤ、７  後輪、８  前方反射器材、９  後方反射器材、１０  反射素子、１１  反射素子体、１２  頂点、２０  制御部材、２１  外表面、３０  レンズ、３０ａ〜４４ａ  第１主面、３０ｂ〜４４ｂ  第２主面、３０ｃ  枠部、３０Ａ〜３４Ａ  第１主面端縁、３０Ｂ〜３４Ｂ  第２主面端縁、３１〜４４  第１〜第１４の領域、５１〜５４  領域、Ｂ  境界、Ｌ  光軸、Ｓ１〜Ｓ３  反射平面、ｘ  第１方向、ｙ  第２方向、ｚ  厚さ方向。
【図１】
2019082600.tif 000003
【図２】
2019082600.tif 000004
【図３】
2019082600.tif 000005
【図４】
2019082600.tif 000006
【図５】
2019082600.tif 000007
【図６】
2019082600.tif 000008
【図７】
2019082600.tif 000009
【図８】
2019082600.tif 000010
【図９】
2019082600.tif 000011
【図１０】
2019082600.tif 000012
【図１１】
2019082600.tif 000013
【図１２】
2019082600.tif 000014